(57)【要約】【課題】従来にない新規な方法で、より正確に新設道路を記録する技術を提供する。【解決手段】車両用ナビゲーション装置１は、通過した入口ＥＴＣゲートが（１０５）地図データに記録されていないＥＴＣゲートである場合（１１０）、その新設ＥＴＣゲートを通過してから出口ＥＴＣゲートを通過する（１２０）までの期間、または、その新設ＥＴＣゲートを通過してからマップマッチング処理により既存の（すなわち地図データ中に記録された）有料道路に初めてマッチされるまで（１３５）、位置検出器による自車両の存在位置を逐次蓄積する（１３０）。そして、出口ＥＴＣゲートを通過した後（１２０）または、既存の有料道路に自車位置がマッチされた後（１３５）、上述の通り蓄積した軌跡を、新設の有料道路であるとしてメモリに記録する（１２５、１４０）。【選択図】 図２
2008128692.tif 000002
【特許請求の範囲】
【請求項１】
自車両の存在位置を繰り返し特定する位置特定手段と、
有料道路の料金自動収受システムの路側機（以下、システム路側機という）を個々に識別できる識別データを複数のシステム路側機分記憶する記憶媒体と、
システム路側機と通信可能な無線通信手段が第1のシステム路側機と通信したとき、前記第1のシステム路側機が有料道路の入口用のものであり、かつ、前記第１のシステム路側機の識別データが前記記憶媒体に記憶されていないことを検出する第１検出手段と、
前記第１検出手段による検出があった後に、前記無線通信手段が第２のシステム路側機と通信したとき、前記第２のシステム路側機が有料道路の出口用のものであることを検出する第２検出手段と、
前記第１検出手段の検出があってから前記第２検出手段の検出があるまでに前記位置特定手段が特定した複数の存在位置に基づいて、自車両の走行軌跡を、新規な道路の位置データとして記録する記録手段と、を備えた新規道路記録装置。
【請求項２】
前記記憶媒体はさらに、複数の道路の位置データを記憶し、
当該新規道路記録装置は、前記位置特定手段が特定した存在位置と、前記記憶媒体が記憶する前記複数の道路の位置データとの関係が所定の近接条件を満たす場合に、自車両が走行している道路を、前記複数の道路から１つ抽出し、また、前記関係が前記近接条件を満たさない場合に、複数の道路から１つを抽出できない旨を判定するという作動を、繰り返し実行する走行道路抽出手段を備え、
前記記録手段は、前記第１検出手段の検出がある前に最後に前記走行道路抽出手段が抽出した道路上の位置を、前記新規な道路に繋がる点として記録することを特徴とする請求項１に記載の新規道路記録装置。
【請求項３】
自車両の存在位置を繰り返し特定する位置特定手段と、
有料道路の料金自動収受システムの路側機（以下、システム路側機という）を個々に識別できる識別データを複数のシステム路側機分記憶すると共に、複数の道路の位置データを記憶する記憶媒体と、
前記位置特定手段が特定した存在位置と、前記記憶媒体が記憶する前記複数の道路の位置データとの関係が所定の近接条件を満たす場合に、自車両が走行している道路を、前記複数の道路から１つ抽出し、また、前記関係が前記近接条件を満たさない場合に、複数の道路から１つを抽出できない旨を判定するという作動を、繰り返し実行する走行道路抽出手段と、
システム路側機と通信可能な無線通信手段が第1のシステム路側機と通信したとき、前記第1のシステム路側機が有料道路の入口用のものであり、かつ、前記第１のシステム路側機の識別データが前記記憶媒体に記憶されていないことを検出する第１検出手段と、
前記第１検出手段による検出があった後に、前記走行道路抽出手段において有料道路が初めて抽出されたことを検出する第２検出手段と、
前記第１検出手段の検出があってから前記第２検出手段の検出があるまでに前記位置特定手段が特定した複数の存在位置に基づいて、自車両の走行軌跡を、新規な道路の位置データとして記録する記録手段と、を備えた新規道路記録装置。
【請求項４】
前記記録手段は、前記第１検出手段の検出がある前に最後に前記走行道路抽出手段が抽出した道路上の位置を、前記新規な道路に繋がる点として記録することを特徴とする請求項３に記載の新規道路記録装置。
【請求項５】
自車両の存在位置を繰り返し特定する位置特定手段と、
有料道路の料金自動収受システムの路側機（以下、システム路側機という）を個々に識別できる識別データを複数のシステム路側機分記憶すると共に、複数の道路の位置データを記憶する記憶媒体と、
前記位置特定手段が特定した存在位置と、前記記憶媒体が記憶する前記複数の道路の位置データとの関係が所定の近接条件を満たす場合に、自車両が走行している道路を、前記複数の道路から１つ抽出し、また、前記関係が前記近接条件を満たさない場合に、複数の道路から１つを抽出できない旨を判定するという作動を、繰り返し実行する走行道路抽出手段と、
システム路側機と通信可能な無線通信手段が第1のシステム路側機と通信したとき、前記第1のシステム路側機が有料道路の出口用のものであり、かつ、前記第１のシステム路側機の識別データが前記記憶媒体に記憶されていないことを検出する第１検出手段と、
前記第１検出手段による検出がある前に、前記走行道路抽出手段において有料道路が抽出されたことを検出する第２検出手段と、
前記第２検出手段の検出が最後にあってから前記第１検出手段の検出があるまでに前記位置特定手段が特定した複数の存在位置に基づいて、自車両の走行軌跡を、新規な道路の位置データとして記録する記録手段と、を備えた新規道路記録装置。
【請求項６】
自車両の存在位置を繰り返し特定する位置特定手段と、
有料道路の料金自動収受システムの路側機（以下、システム路側機という）を個々に識別できる識別データを複数のシステム路側機分記憶する記憶媒体と、を備えた新規道路記録装置に用いるプログラムであって、
システム路側機と通信可能な無線通信手段が第1のシステム路側機と通信したとき、前記第1のシステム路側機が有料道路の入口用のものであり、かつ、前記第１のシステム路側機の識別データが前記記憶媒体に記憶されていないことを検出する第１検出手段、
前記第１検出手段による検出があった後に、前記無線通信手段が第２のシステム路側機と通信したとき、前記第２のシステム路側機が有料道路の出口用のものであることを検出する第２検出手段、および、
前記第１検出手段の検出があってから前記第２検出手段の検出があるまでに前記位置特定手段が特定した複数の存在位置に基づいて、自車両の走行軌跡を、新規な道路の位置データとして記録する記録手段として、コンピュータを機能させるプログラム。
【請求項７】
自車両の存在位置を繰り返し特定する位置特定手段と、
有料道路の料金自動収受システムの路側機（以下、システム路側機という）を個々に識別できる識別データを複数のシステム路側機分記憶すると共に、複数の道路の位置データを記憶する記憶媒体と、を備えた新規道路記録装置に用いるプログラムであって、
システム路側機と通信可能な無線通信手段が特定した存在位置と、前記記憶媒体が記憶する前記複数の道路の位置データとの関係が所定の近接条件を満たす場合に、自車両が走行している道路を、前記複数の道路から１つ抽出し、また、前記関係が前記近接条件を満たさない場合に、複数の道路から１つを抽出できない旨を判定するという作動を、繰り返し実行する走行道路抽出手段、
前記無線通信手段が第1のシステム路側機と通信したとき、前記第1のシステム路側機が有料道路の入口用のものであり、かつ、前記第１のシステム路側機の識別データが前記記憶媒体に記憶されていないことを検出する第１検出手段、
前記第１検出手段による検出があった後に、前記走行道路抽出手段において有料道路が初めて抽出されたことを検出する第２検出手段、および、
前記第１検出手段の検出があってから前記第２検出手段の検出があるまでに前記位置特定手段が特定した複数の存在位置に基づいて、自車両の走行軌跡を、新規な道路の位置データとして記録する記録手段として、コンピュータを機能させるプログラム。
【請求項８】
自車両の存在位置を繰り返し特定する位置特定手段と、
有料道路の料金自動収受システムの路側機（以下、システム路側機という）を個々に識別できる識別データを複数のシステム路側機分記憶すると共に、複数の道路の位置データを記憶する記憶媒体と、を備えた新規道路記録装置に用いるプログラムであって、
前記位置特定手段が特定した存在位置と、前記記憶媒体が記憶する前記複数の道路の位置データとの関係が所定の近接条件を満たす場合に、自車両が走行している道路を、前記複数の道路から１つ抽出し、また、前記関係が前記近接条件を満たさない場合に、複数の道路から１つを抽出できない旨を判定するという作動を、繰り返し実行する走行道路抽出手段、
システム路側機と通信可能な無線通信手段が第1のシステム路側機と通信したとき、前記第1のシステム路側機が有料道路の出口用のものであり、かつ、前記第１のシステム路側機の識別データが前記記憶媒体に記憶されていないことを検出する第１検出手段と、
前記第１検出手段による検出がある前に、前記走行道路抽出手段において有料道路が抽出されたことを検出する第２検出手段、および、
前記第２検出手段の検出が最後にあってから前記第１検出手段の検出があるまでに前記位置特定手段が特定した複数の存在位置に基づいて、自車両の走行軌跡を、新規な道路の位置データとして記録する記録手段として、コンピュータを機能させるプログラム。
【発明の詳細な説明】
【技術分野】
【０００１】
本発明は、新規道路記録装置および新規道路記録装置用のプログラムに関する。
【背景技術】
【０００２】
従来、まだ地図データとして記録されていない新設道路の情報を取得して記録する車載の新設道路記録装置が知られている。
【０００３】
例えば、特許文献１には、自車両が走行した軌跡をユーザが新設道路として入力することにより、新設道路の追加を実現する技術が開示されている。また、特許文献２には、ユーザの入力の負担を軽減するために、マップマッチング機能を利用した新設道路の記録方法が開示されている。具体的には、マップマッチング機能を用いても、地図データ中の既存の道路のいずれにも自車両の現在位置がマッチしないとき、当該新設道路記録装置は、その走行軌跡を新設道路として記録する。
【特許文献１】特開平１０−８９９７５号公報
【特許文献２】特開２００４−２５１７９０号公報
【発明の開示】
【発明が解決しようとする課題】
【０００４】
しかし、マップマッチング機能においては、自車両が新設道路を走行している場合であっても、自車両が既存の道路を走行していると誤って判定してしまうことが多々ある。したがって、マップマッチング機能のみを用いて新設道路を記録する場合、記録される親切道路が不正確なものになりがちである。
【０００５】
本発明は上記点に鑑み、従来にない新規な方法で、より正確に新設道路を記録する技術を提供することを目的とする。
【課題を解決するための手段】
【０００６】
上記の目的を達成するための本発明の第１の特徴は、自車両の存在位置を繰り返し特定する位置特定機能と、有料道路の料金自動収受システムの路側機（以下、システム路側機という）を個々に識別できる識別データを複数のシステム路側機分記憶する記憶媒体と、を有する新規道路記録装置についてのものである。
【０００７】
この新規道路記録装置は、システム路側機と通信可能な無線通信手段が第1のシステム路側機と通信したとき、第1のシステム路側機が有料道路の入口用のものであり、かつ、第１のシステム路側機の識別データが当該記憶媒体に記憶されていないことを検出する第１検出機能と、第１検出機能による検出があった後に、無線通信手段が第２のシステム路側機と通信したとき、第２のシステム路側機が有料道路の出口用のものであることを検出する第２検出機能とを更に有する。そして、この新規道路記録装置は、第１検出機能による検出があってから第２検出機能による検出があるまでに特定した複数の存在位置に基づいて、自車両の走行軌跡を、新規な道路の位置データとして記録する。
【０００８】
このように、新規道路記録装置は、有料道路の入口において記憶媒体にその識別データが記憶されていない第１のシステム路側機、すなわち新設のシステム路側機の検出を利用し、その新設のシステム路側機から第２のシステム路側機までの自車両の走行経路を新設道路として記録する。したがって、新設のシステム路側機の存在に基づいて新規な道路が特定されるので、従来よりも正確に新規道路を検出することができる。特に、当該新規道路の記録のうち、有料道路への入口、有料道路からの出口を正確に特定することができる。有料道路のデータにおいては、その入口および出口の位置が途中の位置よりも重要となる場合が多いので、この点においても本発明に係る新規道路記録装置は有利である。
【０００９】
また、記憶媒体はさらに、複数の道路の位置データを記憶していてもよい。このとき、新規道路記録装置は、位置特定機能が特定した存在位置と、上記記憶媒体が記憶する複数の道路の位置データとの関係が所定の近接条件を満たす場合に、自車両が走行している道路を、前記複数の道路から１つ抽出し、また、当該関係が当該近接条件を満たさない場合に、複数の道路から１つを抽出できない旨を判定するという作動を、繰り返し実行する走行道路抽出機能を有していてもよい。この場合、新規道路記録装置は、第１検出機能の検出がある前に最後に走行道路抽出機能によって抽出された道路上の位置を、当該新規な道路に繋がる点として記録するようになっていてもよい。
【００１０】
新設の有料道路がある場合、既存の道路から当該新設有料道路の入口に到るまでの導入路も新たに設けられる可能性が高い。上記のようにすることで、このような新設の導入路が、どの既存の道路に繋がっているか、すなわち、既存の道路のうち、どの道路から新規の有料道路に進入できるかが、わかりやすくなる。
【００１１】
また、本発明の第２の特徴は、自車両の存在位置を繰り返し特定する位置特定機能と、システム路側機を個々に識別できる識別データを複数のシステム路側機分記憶すると共に、複数の道路の位置データを記憶する記憶媒体と、を有する新規道路記録装置についてのものである。
【００１２】
この新規道路記録装置は、位置特定機能によって特定された存在位置と、上記記憶媒体が記憶する複数の道路の位置データとの関係が所定の近接条件を満たす場合に、自車両が走行している道路を、複数の道路から１つ抽出し、また、当該関係が当該近接条件を満たさない場合に、複数の道路から１つを抽出できない旨を判定するという作動を、繰り返し実行する走行道路抽出機能を有する。
【００１３】
さらに新規道路記録装置は、システム路側機と通信可能な無線通信手段が第1のシステム路側機と通信したとき、第1のシステム路側機が有料道路の入口用のものであり、かつ、第１のシステム路側機の識別データが当該記憶媒体に記憶されていないことを検出する第１検出機能と、第１検出機能による検出があった後に、走行道路抽出機能において有料道路が初めて抽出されたことを検出する第２検出機能と、を有する。そして、新規道路記録装置は、第１検出機能の検出があってから第２検出機能の検出があるまでに特定された複数の存在位置に基づいて、自車両の走行軌跡を、新規な道路の位置データとして記録する。
【００１４】
このように、新規道路記録装置は、有料道路の入口において記憶媒体にその識別データが記憶されていない第１のシステム路側機、すなわち新設のシステム路側機の検出を利用し、その新設のシステム路側機から既存の有料道路（すなわち、既にデータとして記録されている有料道路）への合流点までの自車両の走行経路を新設道路として記録する。したがって、新設のシステム路側機の存在に基づいて新規な道路が特定されるので、従来よりも正確に新規道路を検出することができる。特に、当該新規道路の記録のうち、有料道路への入口、および当該新規道路と既存の有料道路との合流点を正確に特定することができる。
【００１５】
またこのとき、新規道路記録装置は、第１検出機能の検出がある前に最後に走行道路抽出機能が抽出した道路上の位置を、新規な道路に繋がる点として記録するようになっていてもよい。このようにすることで、このような新設の導入路が、どの既存の道路に繋がっているか、すなわち、既存の道路のうち、どの道路から新規の有料道路に進入できるかが、わかりやすくなる。
【００１６】
また、本発明の第３の特徴は、自車両の存在位置を繰り返し特定する位置特定機能と、システム路側機を個々に識別できる識別データを複数のシステム路側機分記憶すると共に、複数の道路の位置データを記憶する記憶媒体と、を有する新規道路記録装置についてのものである。
【００１７】
この新規道路記録装置は、位置特定機能によって特定された存在位置と、上記記憶媒体が記憶する複数の道路の位置データとの関係が所定の近接条件を満たす場合に、自車両が走行している道路を、複数の道路から１つ抽出し、また、当該関係が当該近接条件を満たさない場合に、複数の道路から１つを抽出できない旨を判定するという作動を、繰り返し実行する走行道路抽出機能を有する。
【００１８】
この新規道路記録装置は、システム路側機と通信可能な無線通信手段が第1のシステム路側機と通信したとき、第1のシステム路側機が有料道路の出口用のものであり、かつ、第１のシステム路側機の識別データが当該記憶媒体に記憶されていないことを検出する第１検出機能と、第１検出機能による検出がある前に、走行道路抽出機能において有料道路が抽出されたことを検出する第２検出手段とを有している。
【００１９】
そして、この新規道路記録装置は、第２検出機能による検出が最後にあってから第１検出機能による検出があるまでに位置特定機能が特定した複数の存在位置に基づいて、自車両の走行軌跡を、新規な道路の位置データとして記録する。
【００２０】
このように、新規道路記録装置は、有料道路の出口において記憶媒体にその識別データが記憶されていないシステム路側機、すなわち新設のシステム路側機の検出を利用し、最後に既存の道路を離れてからその新設のシステム路側機までの自車両の走行経路を新設道路として記録する。したがって、新設のシステム路側機の存在に基づいて新規な道路が特定されるので、従来よりも正確に新規道路を検出することができる。特に、当該新規道路の記録のうち、有料道路の出口、および当該新規道路と既存の有料道路との分岐点を正確に特定することができる。
【００２１】
また、本発明の第１の特徴は、自車両の存在位置を繰り返し特定する位置特定手段と、有料道路の料金自動収受システムの路側機（以下、システム路側機という）を個々に識別できる識別データを複数のシステム路側機分記憶する記憶媒体と、を備えた新規道路記録装置に用いるプログラムであって、システム路側機と通信可能な無線通信手段が第1のシステム路側機と通信したとき、前記第1のシステム路側機が有料道路の入口用のものであり、かつ、前記第１のシステム路側機の識別データが前記記憶媒体に記憶されていないことを検出する第１検出手段、前記第１検出手段による検出があった後に、前記無線通信手段が第２のシステム路側機と通信したとき、前記第２のシステム路側機が有料道路の出口用のものであることを検出する第２検出手段、および、前記第１検出手段の検出があってから前記第２検出手段の検出があるまでに前記位置特定手段が特定した複数の存在位置に基づいて、自車両の走行軌跡を、新規な道路の位置データとして記録する記録手段として、コンピュータを機能させるプログラム、としても捉えることができる。
【００２２】
また、本発明の第２の特徴は、自車両の存在位置を繰り返し特定する位置特定手段と、有料道路の料金自動収受システムの路側機（以下、システム路側機という）を個々に識別できる識別データを複数のシステム路側機分記憶すると共に、複数の道路の位置データを記憶する記憶媒体と、を備えた新規道路記録装置に用いるプログラムであって、前記位置特定手段が特定した存在位置と、前記記憶媒体が記憶する前記複数の道路の位置データとの関係が所定の近接条件を満たす場合に、自車両が走行している道路を、前記複数の道路から１つ抽出し、また、前記関係が前記近接条件を満たさない場合に、複数の道路から１つを抽出できない旨を判定するという作動を、繰り返し実行する走行道路抽出手段、システム路側機と通信可能な無線通信手段が第1のシステム路側機と通信したとき、前記第1のシステム路側機が有料道路の入口用のものであり、かつ、前記第１のシステム路側機の識別データが前記記憶媒体に記憶されていないことを検出する第１検出手段、前記第１検出手段による検出があった後に、前記走行道路抽出手段において有料道路が初めて抽出されたことを検出する第２検出手段、および、前記第１検出手段の検出があってから前記第２検出手段の検出があるまでに前記位置特定手段が特定した複数の存在位置に基づいて、自車両の走行軌跡を、新規な道路の位置データとして記録する記録手段として、コンピュータを機能させるプログラム、としても捉えることができる。
【００２３】
また、本発明の第３の特徴は、自車両の存在位置を繰り返し特定する位置特定手段と、有料道路の料金自動収受システムの路側機（以下、システム路側機という）を個々に識別できる識別データを複数のシステム路側機分記憶すると共に、複数の道路の位置データを記憶する記憶媒体と、を備えた新規道路記録装置に用いるプログラムであって、前記位置特定手段が特定した存在位置と、前記記憶媒体が記憶する前記複数の道路の位置データとの関係が所定の近接条件を満たす場合に、自車両が走行している道路を、前記複数の道路から１つ抽出し、また、前記関係が前記近接条件を満たさない場合に、複数の道路から１つを抽出できない旨を判定するという作動を、繰り返し実行する走行道路抽出手段、システム路側機と通信可能な無線通信手段が第1のシステム路側機と通信したとき、前記第1のシステム路側機が有料道路の出口用のものであり、かつ、前記第１のシステム路側機の識別データが前記記憶媒体に記憶されていないことを検出する第１検出手段、前記第１検出手段による検出がある前に、前記走行道路抽出手段において有料道路が抽出されたことを検出する第２検出手段、および、前記第２検出手段の検出が最後にあってから前記第１検出手段の検出があるまでに前記位置特定手段が特定した複数の存在位置に基づいて、自車両の走行軌跡を、新規な道路の位置データとして記録する記録手段として、コンピュータを機能させるプログラム、としても捉えることができる。
【発明を実施するための最良の形態】
【００２４】
以下、本発明の一実施形態について説明する。図１に、本実施形態に係る車両用ナビゲーション装置１のハードウェア構成図を示す。車両に搭載される車両用ナビゲーション装置１は、位置検出器１１、画像表示装置１２、操作スイッチ群１３、スピーカ１４、ＥＴＣ車載器１５、地図データ取得部１６、および制御回路１７を有している。
【００２５】
位置検出器１１は、いずれも周知の図示しない地磁気センサ、ジャイロスコープ、車速センサ、およびＧＰＳ受信機等の物理量センサを有しており、これらセンサの各々の性質に基づいた、車両の現在位置（緯度、経度等）、向き、および速度等を示す情報を制御回路１７に出力する。
【００２６】
画像表示装置１２は、制御回路１７から出力された映像信号に基づいた映像をユーザに表示する。操作スイッチ群１３は、ユーザの操作を受け付け、受け付けた操作に基づいた信号を制御回路１７に出力する。
【００２７】
ＥＴＣ車載器１５は、自車両がＥＴＣ（料金自動収受システム）の路側機に接近したときに、当該ＥＴＣ路側機と無線通信することで、自車両による有料道路の使用に応じて課される料金の算出および支払いのための処理を行う装置である。
【００２８】
ＥＴＣ路側機は、複数の有料道路の入口ゲートおよび出口ゲートにそれぞれ設置され、当該ゲートを通過する車両に搭載されたＥＴＣ車載器１５と、上述の算出および支払いのための通信を行う。ＥＴＣ路側機は、自らを識別するための個別データとして、路側機毎に異なる値となっている路側機ＩＤ（または、料金所毎に異なるＩＤとなっている料金所ＩＤ）を記憶しており、記憶している自らの路側機ＩＤ（または料金所ＩＤ）を、通信相手のＥＴＣ車載器に送信する。また、ＥＴＣ路側機は、自らが入口ゲートに設置されているか、出口ゲートに設置されているかを区別することができる入口出口情報を記憶しており、この入口出口情報を、通信相手のＥＴＣ車載器に送信する。なお、料金所とは、１つ以上のＥＴＣゲートを有する有料道路の入口全体または出口全体をいう。
【００２９】
ＥＴＣ車載器１５は、ＥＴＣ路側機と通信すると、通信相手のＥＴＣ路側機から受けた路側機ＩＤ（または料金所ＩＤ）および入口出口情報を、制御回路１７に出力する。これによって、ＥＴＣ車載器１５は、ＥＴＣ路側機と通信した旨、および、その通信の位置が、有料道路の入口および出口のいずれであったかの情報を、制御回路１７に伝えることができる。
【００３０】
地図データ取得部１６は、ＤＶＤ、ＣＤ、ＨＤＤ等の不揮発性の記憶媒体およびそれら記憶媒体に対してデータの読み出し（および可能ならば書き込み）を行う装置から成る。当該記憶媒体は、制御回路１７が実行するプログラム、経路案内用の地図データ等を記憶している。
【００３１】
地図データは、道路データおよび施設データを有している。道路データは、リンクの位置情報（道路の位置データの一例に相当する）、種別（例えば有料道路か一般道路か等の別）情報、ノードの位置情報、種別情報、および、ノードとリンクとの接続関係の情報等を含んでいる。
【００３２】
施設データは、施設毎のレコードを複数有しており、各レコードは、対象とする施設の名称情報、所在位置情報（例えば、緯度および経度）、個別データを有している。施設としては、銀行、コンビニエンスストア、デパート、公園等に加え、ＥＴＣ路側機がある。ここで、ＥＴＣ路側機の個別データは、上述の路側機ＩＤ（または料金所ＩＤ）である。ＥＴＣ路側機の個別データおよび所在位置情報のそれぞれが、識別データの一例に相当する。
【００３３】
制御回路（コンピュータの一例に相当する）１７は、ＣＰＵ、ＲＡＭ、ＲＯＭ、フラッシュメモリ、Ｉ／Ｏ等を有するマイコンである。ＣＰＵは、ＲＡＭまたは地図データ取得部１６から読み出した車両用ナビゲーション装置１の動作のためのプログラムを実行し、その実行の際にはＲＡＭ、ＲＯＭ、および地図データ取得部１６から情報を読み出し、ＲＡＭおよび（可能であれば）地図データ取得部１６の記憶媒体に対して情報の書き込みを行い、位置検出器１１、画像表示装置１２、操作スイッチ群１３、およびスピーカ１４と信号の授受を行う。
【００３４】
制御回路１７がプログラムを実行することによって行う具体的な処理としては、マップマッチング処理１７ａ、経路案内処理１７ｂ、新設道路記録処理１７ｃ等がある。
【００３５】
マップマッチング処理１７ａは、位置検出器１１から出力された自車両の存在位置の座標と、地図データ中の複数のリンクの位置情報とに基づいて、自車両走行しているリンクを、地図データ中のリンクから１つ抽出し、さらに、そのリンク中のどの位置に自車両がいるかを特定する処理である。ただし、制御回路１７は、マップマッチング処理１７ａにおいては、位置検出器１１から受けた存在位置座標と、複数のリンクの位置情報との関係が所定の近接条件を満たす場合に限り、上述の抽出を実行し、当該関係が当該近接条件を満たさない場合、複数のリンクから１つを抽出できない旨、すなわち、マップマッチングができない旨の判定を行う。
【００３６】
ここで、所定の近接条件とは、位置検出器１１の検出による存在位置が、複数のリンクのいずれかに十分近いとみなせるための条件である。例えば、複数のリンクのうち、位置検出器１１の検出による存在位置からの最短距離が最もリンクを最接近リンクとすると、最接近リンクから当該存在位置までの最短距離が基準距離未満であることが、当該近接条件であってもよい。なお、基準距離は、あらかじめ記憶された一定値であってもよいし、各種条件（例えば、リンクの幅員、リンクの密集度、位置検出器１１の検出精度、車速）に基づいて変動する値であってもよいし、一定の範囲内でランダムに決まる値であってもよい。
【００３７】
この例においては、当該近接条件が満たされている場合、抽出するリンクを最接近リンクとし、また、最接近リンクと上記自車両の存在位置との最短距離を構成する直線経路の、最接近リンク側の端点を、自車両が走行しているとしてもよい。
【００３８】
経路案内処理１７ｂは、誘導経路算出処理は、操作スイッチ群１３からユーザによる目的地の入力を受け付け、現在位置から当該目的地までの最適な誘導経路を算出し、算出された誘導経路および現在位置等を地図データの示す地図上に重ねた画像を、画像表示装置１２に出力し、案内交差点の手前に自車両が到達したとき等の必要時に、右折、左折等を指示する案内音声信号をスピーカ１４に出力させる処理である。
【００３９】
新設道路記録処理１７ｃは、地図データに記録されていない新設の道路の存在を検出し、検出した新設道路の位置情報を地図データ取得部１６の記憶媒体、制御回路１７のフラッシュメモリ等に記録する処理である。この新設道路記録処理１７ｃのために、制御回路１７は、図２に示すプログラム１００を繰り返し実行する。
【００４０】
このプログラム１００の実行において、制御回路１７は、まずステップ１０５で、自車両が入口ＥＴＣゲートを通過したか否かを、ＥＴＣ車載器１５が入口ＥＴＣ路側機と通信したか否かに基づいて判定する。ＥＴＣ車載器１５から、入口のＥＴＣ路側機であることを示す入口出口情報を受けたことに基づいて、制御回路１７は、ＥＴＣ車載器１５が入口ＥＴＣ路側機と通信したと判定する。ステップ１０５の判定結果が肯定的である場合、続いてステップ１１０を実行し、否定的である場合、再度ステップ１０５を実行する。
【００４１】
ステップ１１０では、通過した入口ＥＴＣゲートが新設のＥＴＣゲートであるか否かを判定する。新設であるか否かは、通過した入口ＥＴＣゲートにおける入口ＥＴＣ路側機の識別データが、地図データ中の施設データに記録されているか否かによって判定する。ここで、通過した入口ＥＴＣ路側機の識別データとは、その入口ＥＴＣ路側機通過時における位置検出器１１による存在位置のデータ、または、その入口ＥＴＣ路側機通過時においてＥＴＣ車載器１５が出力した個別データをいう。このような識別データが、施設データ中の施設毎に１つある複数のレコードのうち、いずれか１つの個別データまたは所在位置情報と一致（個別データの場合は完全一致、所在位置情報の場合は所定の許容誤差範囲内で一致）する場合、通過した入口ＥＴＣゲートは既存のＥＴＣゲートとなり、一致しない場合、通過した入口ＥＴＣゲートは新設のＥＴＣゲートとなる。ステップ１１０の判定結果が肯定的な場合、続いてステップ１１５を実行し、否定的な場合、プログラム１００の１回分の実行が終了する。
【００４２】
ステップ１１５では、走行軌跡の記録を開始する。すなわち、位置検出器１１から繰り返し出力される位置情報を、時系列に沿って蓄積する処理を開始する。続いてステップ１２０では、自車両が出口ＥＴＣゲートを通過したか否かを、ＥＴＣ車載器１５から出口である旨の入口出口情報を受けたか否かで判定する。自車両が出口ＥＴＣゲートを通過した場合、続いてステップ１２５を実行し、通過していない場合、続いてステップ１３０を実行する。
【００４３】
出口ＥＴＣゲートを通過した後のステップ１２５では、ステップ１１５によって開始された蓄積処理によって記録された自車両の軌跡を、新設の有料道路の位置情報として、地図データ取得部１６の記憶媒体または制御回路１７のフラッシュメモリに記録し、その後プログラム１００の実行を終了する。これによって、図３に示すように、ステップ１０５、１１０で通過が検出された入口ＥＴＣ路側機３４の位置から、ステップ１２０で通過が検出された出口ＥＴＣ路側機３５までの自車両の経路３６が、新設の有料道路の位置情報として記録されることになる。
【００４４】
出口ＥＴＣゲートを通過していない状態のステップ１３０では、位置検出器１１による自車両の存在位置座標を記録する。続いてステップ１３５では、マップマッチング処理１７ａによって、位置検出器１１による存在位置が、既存の有料道路、すなわち地図データ中の有料道路のリンクにマッチするか否かを判定する。この判定結果が肯定的な場合、続いてステップ１４０を実行し、否定的な場合、続いてステップ１２０を実行する。したがって、このステップ１３０の処理が、自車両が出口ＥＴＣゲートを通過するまで（ステップ１２０参照）、または、自車両の存在位置が既存の有料道路にマッチするまで（ステップ１３５参照）、繰り返されることで、ステップ１１５で開始された走行軌跡の記録が実現する。
【００４５】
存在位置が既存の有料道路にマッチした後のステップ１４０では、ステップ１１５によって開始された蓄積処理によって記録された自車両の軌跡を、新設の有料道路の位置情報として、地図データ取得部１６の記憶媒体または制御回路１７のフラッシュメモリに記録し、その後プログラム１００の実行を終了する。これによって、図４に示すように、ステップ１０５、１１０で通過が検出された入口ＥＴＣ路側機３４の位置から、ステップ１３５で自車両の現在位置がマッチした既存の有料道路３７の合流点３８までの自車両の経路３９が、新設の有料道路の位置情報として記録されることになる。
【００４６】
以上のようなプログラム１００を制御回路１７に実行させることで、車両用ナビゲーション装置１は、通過した入口ＥＴＣゲートが（ステップ１０５参照）新設の（すなわち地図データに記録されていない）ＥＴＣゲートである場合（ステップ１１０参照）、その新設ＥＴＣゲートを通過してから出口ＥＴＣゲートを通過する（ステップ１２０参照）までの期間、または、その新設ＥＴＣゲートを通過してからマップマッチング処理１７ａにより既存の（すなわち地図データ中に記録された）有料道路に初めてマッチされるまで（ステップ１３５参照）、位置検出器１１による自車両の存在位置を逐次蓄積する（ステップ１３０参照）。
【００４７】
そして、車両用ナビゲーション装置１は、出口ＥＴＣゲートを通過した後（ステップ１２０参照）または、既存の有料道路に存在位置がマッチされた後（ステップ１３５参照）、上述の通り蓄積した複数の存在位置を時系列に並べることで生成される軌跡を、新設の有料道路であるとして、地図データ取得部１６の記憶媒体または制御回路１７のフラッシュメモリに記録する（ステップ１２５、１４０参照）。
【００４８】
このように、車両用ナビゲーション装置１は、有料道路の入口において地図データ中にその路側機ＩＤ（または料金所ＩＤ）または所在位置が記憶されていない入口ＥＴＣ路側機（第１のシステム路側機の一例に相当する）、すなわち新設のＥＴＣ路側機の検出を利用し、その新設のＥＴＣ路側機から出口ＥＴＣ路側機（第２のシステム路側機の一例に相当する）までの自車両の走行経路を新設道路として記録する。したがって、新設のＥＴＣ路側機の存在に基づいて新規な道路が特定されるので、従来よりも正確に新規の有料道路を検出することができる。特に、当該新規道路の記録のうち、有料道路への入口、有料道路からの出口を正確に特定することができる。有料道路のデータにおいては、その入口および出口の位置が途中の位置よりも重要となる場合が多いので、この点においても本発明に係る新規道路記録装置は有利である。
【００４９】
また、車両用ナビゲーション装置１は、有料道路の入口において地図データ中にその路側機ＩＤ（または料金所ＩＤ）または所在位置が記憶されていない入口ＥＴＣ路側機（第１のシステム路側機の一例に相当する）、すなわち新設のＥＴＣ路側機の検出を利用し、その新設のＥＴＣ路側機から既存の有料道路（すなわち、既にデータとして記録されている有料道路）への合流点までの自車両の走行経路を新設の有料道路として記録する。したがって、新設のシステム路側機の存在に基づいて新規な道路が特定されるので、従来よりも正確に新規道路を検出することができる。特に、当該新規道路の記録のうち、有料道路への入口、および当該新規道路と既存の有料道路との合流点を正確に特定することができる。
【００５０】
なお、図５に示すように、ステップ１２５、１４０において、制御回路１７は、ステップ１０５、１１０で検出した新設の入口ＥＴＣ路側機３４から、その入口ＥＴＣ路側機３４を検出する前の期間においてマップマッチング処理１７ａによって現在位置がマッチした道路上３１上の経路３０の最後の点３２、すなわち、最後に位置検出器１１による所在位置がマッチした道路上の位置を、新設の道路に繋がる点（またはインターチェンジ）として、新設の道路の位置情報と共に記録するようになっていてもよい。このようにすることで、最後にマッチした位置３２か入口ＥＴＣ路側機３４までの自車両の軌跡３３、すなわち、既存の道路から新設の有料道路への導入路３３が、どの既存の道路に繋がっているか、すなわち、既存の道路のうち、どの道路から新規の有料道路に進入できるかが、わかりやすくなる。
【００５１】
また、制御回路１７は、新設道路記録処理１７ｃのために、図６に示すプログラム２００を繰り返し実行する。このプログラム２００の実行において、制御回路１７は、まずステップ２０５で、自車両が既存の有料道路を走行しているか否かを判定する。自車両が既存の有料道路を走行していることの判定は、マップマッチング処理１７ａによって、位置検出器１１による自車位置が地図データ中の有料道路にマッチしていることによって判定してもよい。また、自車両が既存の有料道路を走行していることの判定は、ＥＴＣ車載器１５が入口ＥＴＣ路側機と通信した後、出口ＥＴＣ路側機と通信していないことに基づいて判定してもよい。ステップ２０５の判定が肯定的な場合、続いてステップ２１０を実行し、否定的な場合、再度ステップ２０５を実行する。
【００５２】
ステップ２１０では、自車両が出口ＥＴＣゲートを通過したか否かを、ステップ１２０と同じ処理で判定する。通過したと判定すると、続いてステップ２４０を実行し、通過していないと判定すると、続いてステップ２１５を実行する。ステップ２１５では、位置検出器１１による自車位置、または、マップマッチング処理１７ａによって自車位置がマッチされた道路および当該道路上の位置、を算出する。
【００５３】
続いてステップ２２０では、自車位置がステップ２０５で検出した既存の有料道路から外れているか否かを判定する。具体的には、マップマッチング処理１７ａによって、位置検出器１１による存在位置が、当該既存の有料道路、すなわち地図データ中の有料道路のリンクにマッチすれば、ステップ２２０の判定結果は否定的になり、当該既存の有料道路にマッチしていなければ、ステップ２２０の判定結果は肯定的になる。この判定結果が肯定的な場合、続いてステップ２２５を実行し、否定的な場合、続いてステップ２３５を実行する。
【００５４】
ステップ２２５では、現在走行軌跡を記録中であるか否かを判定し、記録中であれば再度ステップ２１０を実行し、記録中でなければ続いてステップ２３０で走行軌跡の記録を開始すると共にその後ステップ２１０を再度実行する。走行軌跡の記録が開始された後は、制御回路１７は、ステップ２１５で繰り返し算出された現在位置を、時系列に沿って走行軌跡として、ＲＡＭまたはフラッシュメモリに蓄積する。
【００５５】
ステップ２３５では、蓄積している走行軌跡があれば、その走行軌跡のデータを消去する。ステップ２３５の後、再度ステップ２１０を実行する。
【００５６】
ステップ２１０で出口ＥＴＣゲートの通過を検出した後は、続いてステップ２４０で、その出口ＥＴＣゲートが新設のＥＴＣゲートであるか否かを判定する。新設であるか否かは、通過した出口ＥＴＣゲートにおける出口ＥＴＣ路側機の識別データが、地図データ中の施設データに記録されているか否かによって判定する。このような識別データが、施設データ中の施設毎に１つある複数のレコードのうち、いずれか１つの個別データまたは所在位置情報と一致（個別データの場合は完全一致、所在位置情報の場合は所定の許容誤差範囲内で一致）する場合、通過した出口ＥＴＣゲートは既存のＥＴＣゲートとなり、一致しない場合、通過した出口ＥＴＣゲートは新設のＥＴＣゲートとなる。ステップ２４０の判定結果が肯定的な場合、続いてステップ２４５を実行し、否定的な場合、プログラム２００の１回分の実行が終了する。
【００５７】
ステップ２４５では、ステップ２３０によって開始されステップ２１５において継続された蓄積処理によって記録された自車両の軌跡を、新設の有料道路の位置情報として、地図データ取得部１６の記憶媒体または制御回路１７のフラッシュメモリに記録し、その後プログラム２００の１回分の実行を終了する。
【００５８】
以上のようなプログラム２００を制御回路１７に実行させることで、車両用ナビゲーション装置１は、自車両が既存の有料道路に入ってから（ステップ２０５参照）出口ＥＴＣゲートを出るまでの間に（ステップ２１０参照）、位置検出器１１による存在位置がマップマッチング処理１７ａによって当該有料道路にマッチしなくなると（ステップ２２０参照）、それ以後の自車両の存在位置を時系列に沿って繰り返し記録していくことで、それ以後の自車両の軌跡を記録する（ステップ２２５、２３０参照）。
【００５９】
ただし、位置検出器１１による存在位置がマップマッチング処理１７ａによって当該有料道路に再度マッチすると（ステップ２２０参照）、それまでの軌跡の記録を破棄する（ステップ２３５参照）ので、記録されている軌跡は、位置検出器１１による存在位置が最後に当該有料道路にマッチしなくなってからの軌跡となる。
【００６０】
そして車両用ナビゲーション装置１は、自車両が出口ＥＴＣゲートを通過すると（ステップ２１０参照）、通過した出口ＥＴＣゲートが新設の（すなわち地図データに記録されていない）ＥＴＣゲートである場合（ステップ２４０参照）、その時点で記録されている軌跡を新設の有料道路として記録する（ステップ２４５参照）。
【００６１】
このように、車両用ナビゲーション装置１は、有料道路の出口において、新設のＥＴＣ路側機と通信したことを検出する第１検出機能と、第１検出機能による検出がある前に、走行道路抽出機能において有料道路が抽出されたことを検出する第２検出手段とを有している。
【００６２】
そして、この車両用ナビゲーション装置１は、第２検出機能による検出が最後にあってから第１検出機能による検出があるまでに位置検出器１１によって特定した複数の存在位置に基づいて、自車両の走行軌跡を、新規な道路の位置データとして記録する。
【００６３】
このように、車両用ナビゲーション装置１は、新設の出口ＥＴＣ路側機の検出を利用し、最後に既存の道路を離れてからその新設の出口ＥＴＣ路側機までの自車両の走行経路を新設の有料道路として記録する。したがって、新設の出口ＥＴＣ路側機の存在に基づいて新規な道路が特定されるので、従来よりも正確に新規道路を検出することができる。特に、当該新規道路の記録のうち、有料道路の出口、および当該新規道路と既存の有料道路との分岐点を正確に特定することができる。
【００６４】
なお、上記実施形態においては、車両用ナビゲーション装置１が新規道路記録装置の一例に相当し、位置検出器１１が位置特定手段の一例に相当し、ＥＴＣ車載器１５が無線通信手段の一例に相当し、地図データ取得部１６が記憶媒体の一例に相当する。また、制御回路１７が、マップマッチング処理１７ａ用のプログラムを実行することで、走行道路抽出手段の一例として機能する。
【００６５】
また、制御回路１７が、プログラム１００の実行において、ステップ１０５および１１０を実行することで第１検出手段の一例として機能し、ステップ１２０、１３５を実行することで第２検出手段の一例として機能し、ステップ１２５、１３０、１４０を実行することで記録手段の一例として機能する。
【００６６】
また、制御回路１７が、プログラム２００の実行において、ステップ２１０および２４０を実行することで第１検出手段の一例として機能し、ステップ２０５、２２０を実行することで第２検出手段の一例として機能し、ステップ２２５、２３０、２３５、２４５を実行することで記録手段の一例として機能する。
（他の実施形態）
以上、本発明の実施形態について説明したが、本発明の範囲は、上記実施形態のみに限定されるものではなく、本発明の各発明特定事項の機能を実現し得る種々の形態を包含するものである。
【００６７】
例えば、通信相手のＥＴＣ路側機が入口ゲート用のものであるか出口ゲート用のものであるかについては、入口出口情報に基づいて特定する必要は必ずしもない。例えば、制御回路１７は、ＥＴＣ路側機との通信を行ったときに、マップマッチング処理１７ａによって最後にマッチした道路が一般道路である場合に、当該ＥＴＣ路側機を入口用のＥＴＣ路側機であると特定するようになっていてもよい。また例えば、制御回路１７は、ＥＴＣ路側機との通信を行ったときに、マップマッチング処理１７ａによって最後にマッチした道路が有料道路である場合に、当該ＥＴＣ路側機を出口用のＥＴＣ路側機であると特定するようになっていてもよい。
【００６８】
また、上記実施形態のように、車両用ナビゲーション装置がＥＴＣ車載器の機能を兼ね備えていてもよいし、あるいは、車両用ナビゲーション装置がＥＴＣ車載器の機能を有しておらずともよい。後者の場合、車両用ナビゲーション装置は、車両に別途搭載された外部機器としてのＥＴＣ車載器から、上記の個別データおよび入口出口情報等を示す信号を受け付けるようになっていてもよい。
【００６９】
また、上記実施形態のように、車両用ナビゲーション装置がＥＴＣ車載器を兼ね備えていてもよいし、あるいは、車両用ナビゲーション装置が、ＥＴＣ車載器を有しておらずともよい。後者の場合、車両用ナビゲーション装置は、車両に搭載された外部のＥＴＣ車載器から、路側器ＩＤ（または料金所ＩＤ）、入口出口情報等の入力を受け付けるようになっていてもよい。
【００７０】
また、上記の実施形態において、制御回路１７がプログラムを実行することで実現している各機能は、それらの機能を有するハードウェア（例えば回路構成をプログラムすることが可能なＦＰＧＡ）を用いて実現するようになっていてもよい。
【００７１】
また、本発明の新規道路記録装置は、車両用ナビゲーション装置１に限らず、他の車載器として実現されていてもよい。
【図面の簡単な説明】
【００７２】
【図１】本発明の実施形態に係る車両用ナビゲーション装置１のハードウェア構成図である。
【図２】制御回路１７が実行するプログラム１００のフローチャートである。
【図３】新設の入口ＥＴＣ路側機３４から出口ＥＴＣ路側機３５までの間の自車両の経路３６を示す概略図である。
【図４】新設の入口ＥＴＣ路側機３４から既存の有料道路３７中の合流点３８までの自車両の経路３９を示す概略図である。
【図５】マップマッチング処理１７ａによって最後にマッチした位置３２から入口ＥＴＣ路側機３４までの経路を示す概略図である。
【図６】制御回路１７が実行するプログラム１００のフローチャートである。
【符号の説明】
【００７３】
１…車両用ナビゲーション装置、１１…位置検出器、１２…画像表示装置、
１３…操作スイッチ群、１４…スピーカ、１５…ＥＴＣ車載器、
１６…地図データ取得部、１７…制御回路、１７ａ…マップマッチング処理、
１７ｂ…経路案内処理、１７ｃ…新設道路記録処理、３０…マップマッチした経路、
３１…一般道路、３２…最後のマップマッチ地点、
３３…マップマッチしなかった経路、３４…入口ＥＴＣ路側機、
３５…出口ＥＴＣ路側機、３６、３９…経路、３７…既存有料道路、３８…合流点、
１００、２００…プログラム。
【図１】
2008128692.tif 000003
【図２】
2008128692.tif 000004
【図３】
2008128692.tif 000005
【図４】
2008128692.tif 000006
【図５】
2008128692.tif 000007
【図６】
2008128692.tif 000008